(57)【要約】【課題】基材と記録媒体とを積層した積層体を加熱・加圧して記録媒体上の画像を基材に転写する場合に、基材の平面性を保ちつつ表面欠陥を抑制することができる画像転写装置を提供する。【解決手段】基材と、表面に画像が記録されたフィルムを積層した積層体を搬送しながら加熱・加圧する第１のローラ対と、積層体を搬送しながら冷却する、互いに加熱・加圧された第２のローラ対が第１のローラ対の積層体の搬送方向における下流側に複数配列され、複数配列された第２のローラ対の表面温度を、積層体の温度がガラス転位温度以下になるまで段階的に下げる。【選択図】図２
2014174197.tif 000002
【特許請求の範囲】
【請求項１】
基材と、表面に画像が記録されたフィルムを積層した積層体を搬送しながら加熱・加圧する第１のローラ対と、
前記積層体を搬送しながら冷却する、加熱・加圧された第２のローラ対が前記第１のローラ対の前記積層体の搬送方向における下流側に複数配列されている、
ことを特徴とする画像転写装置。
【請求項２】
前記複数配列された第２のローラ対の表面温度を、前記積層体の温度がガラス転位温度以下になるまで段階的に下げる、
ことを特徴とする請求項１に記載の画像転写装置。
【請求項３】
前記積層体の先端が前記第１のローラ対の前記積層体の搬送方向における下流側で最初に配置された前記第２のローラ対の接触部へ突入するタイミングで、前記最初に配置された前記第２のローラ対の接触圧を前記第１のローラ対の接触圧よりも低くする、
ことを特徴とする請求項１又は２に記載の画像転写装置。
【請求項４】
前記積層体の先端が前記第１のローラ対の前記積層体の搬送方向における下流側で最初に配置された前記第２のローラ対の接触部へ突入するタイミングで、前記最初に配置された前記第２のローラ対の搬送速度を前記第１のローラ対の搬送速度よりも高くする、
ことを特徴とする請求項１ないし３のいずれか１項に記載の画像転写装置。
【請求項５】
前記積層体の後端が前記第１のローラ対の接触部から排出されるタイミングで、前記積層体の搬送方向における下流側で最初に配置された前記第２のローラ対の接触圧を前記第１のローラ対の接触圧よりも低くする、
ことを特徴とする請求項１ないし４のいずれか１項に記載の画像転写装置。
【請求項６】
前記第１のローラ対及び前記第２のローラ対の表面が、前記フィルムの表面硬度より低い硬度の弾性体で構成されている、
ことを特徴とする請求項１ないし５のいずれか１項に記載の画像転写装置。
【発明の詳細な説明】
【技術分野】
【０００１】
本発明は、画像転写装置に関する。
【背景技術】
【０００２】
フィルムの表面に電子写真方式により画像を形成し、コアシートを介して２つのフィルムを互いに対面するように積層した積層体を加熱・加圧することにより、コアシートを２つのフィルムでラミネートするプラスチックシートの作製方法であって、ラミネート工程が、積層体の伸びを防止する伸び防止工程と、伸び防止工程を経た後、積層体を加熱・加圧する接着工程と、接着工程を経た後、積層体を冷却する冷却工程とを含むプラスチックシートの作製方法が知られている（特許文献１）。
【０００３】
画像受像層を有する基体の片面に、電子写真方式により画像形成材料からなる画像を形成する画像形成工程と、電子写真用画像形成材料転写シートを、エチレングリコール、テレフタル酸及び１，４−シクロヘキサンジメタノール成分を共重合させたポリエステル樹脂を含む画像支持体の画像が転写される面と画像が形成された面とが対面するように重ね合わせて積層体とする位置決め工程と、位置決めされた積層体を加熱圧着する加熱圧着工程と、画像形成材料が冷却した後、電子写真用画像形成材料転写シートを画像支持体から剥離する剥離工程とを含む画像記録体の作製方法も知られている（特許文献２）。
【先行技術文献】
【特許文献】
【０００４】
【特許文献１】特許４２５８３９８号公報
【特許文献２】特許４５２５１００号公報
【発明の概要】
【発明が解決しようとする課題】
【０００５】
本発明は、基材と記録媒体とを積層した積層体を加熱・加圧して記録媒体上の画像を基材に転写する場合に、基材の平面性を保ちつつ表面欠陥を抑制することを目的とする。
【課題を解決するための手段】
【０００６】
前記課題を解決するために、請求項１記載の画像転写装置は、
基材と、表面に画像が記録されたフィルムを積層した積層体を搬送しながら加熱・加圧する第１のローラ対と、
前記積層体を搬送しながら冷却する、加熱・加圧された第２のローラ対が前記第１のローラ対の前記積層体の搬送方向における下流側に複数配列されている、
ことを特徴とする。
【０００７】
請求項２記載の発明は、請求項１記載の画像転写装置において、
前記複数配列された第２のローラ対の表面温度を、前記積層体の温度がガラス転位温度以下になるまで段階的に下げる、
ことを特徴とする。
【０００８】
請求項３記載の発明は、請求項１又は２に記載の画像転写装置において、
前記積層体の先端が前記第１のローラ対の前記積層体の搬送方向における下流側で最初に配置された前記第２のローラ対の接触部へ突入するタイミングで、前記最初に配置された前記第２のローラ対の接触圧を前記第１のローラ対の接触圧よりも低くする、
ことを特徴とする。
【０００９】
請求項４記載の発明は、請求項１ないし３のいずれか１項に記載の画像形成装置において、
前記積層体の先端が前記第１のローラ対の前記積層体の搬送方向における下流側で最初に配置された前記第２のローラ対の接触部へ突入するタイミングで、前記最初に配置された前記第２のローラ対の搬送速度を前記第１のローラ対の搬送速度よりも高くする、
ことを特徴とする。
【００１０】
請求項５記載の発明は、請求項１ないし４のいずれか１項に記載の画像形成装置において、
前記積層体の後端が前記第１のローラ対の接触部から排出されるタイミングで、前記積層体の搬送方向における下流側で最初に配置された前記第２のローラ対の接触圧を前記第１のローラ対の接触圧よりも低くする、
ことを特徴とする。
【００１１】
請求項６記載の発明は、請求項１ないし５のいずれか１項に記載の画像転写装置において、
前記第１のローラ対及び前記第２のローラ対の表面が、前記フィルムの表面硬度より低い硬度の弾性体で構成されている、
ことを特徴とする。
【発明の効果】
【００１２】
本発明によれば、基材と記録媒体とを積層した積層体を加熱・加圧して記録媒体上の画像を基材に転写する場合に、基材の平面性を保ちつつ表面欠陥を抑制することができる。
【図面の簡単な説明】
【００１３】
【図１】画像転写装置３０が適用される積層体の作成装置の概略構成の一例を示す断面模式図である。
【図２】（ａ）は画像転写装置３０の構成を示す縦断面図、（ｂ）は画像転写装置３０を構成する各ローラの断面模式図である。
【図３】画像転写装置３０の制御部Ｃが備える各機能を示すブロック図である。
【図４】画像転写装置３０によりラミネートされる積層体の構成断面図である。
【図５】画像転写装置３０の定着部及び冷却部の機能を説明するための断面模式図である。
【図６】画像転写装置３０における冷却ローラ対３３、３３の温度制御例を説明するための図である。
【図７】ヒートローラ対３２、３２のニップ部と冷却ローラ対３３、３３のニップ部との間における積層体の姿勢を説明するための模式図である。
【図８】画像転写装置３０の冷却部における冷却ローラ対の圧力制御の一例を説明するための図である。
【図９】比較例の画像転写装置２００を示す縦断面図である。
【発明を実施するための形態】
【００１４】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１５】
（１）積層体の作成装置の全体構成及び動作
図１は本実施形態に係る画像転写装置３０が適用される積層体（プラスチックシート）の作製装置１００の概略構成の一例を示す断面模式図である。
積層体の作製装置１００は、画像形成装置（フィルム収納部、画像形成部）１０、丁合い装置２０と、画像転写装置（ラミネート部）３０と、から構成されている。
【００１６】
（１．１）画像形成装置
画像形成装置１０は、例えば、フィルムトレイ１１と、画像形成部１２と、フィルムトレイ１１から画像形成部１２へ第１の媒体としての転写フィルムを搬送する搬送路１３と、画像形成部１２から排出口１４へ画像形成後の転写フィルムを搬送する搬送路１５とから構成されている。その他の構成は省略する。
【００１７】
画像形成部１２は、図示しないが、公知の電子写真方式のカラー画像形成装置で構成されている。すなわち、媒体に黒（Ｋ）、シアン（Ｃ）、マゼンタ（Ｍ）、イエロー（Ｙ）色のトナー像を形成するそれぞれの画像形成ユニットと、画像形成ユニットが備える感光体ドラム表面を露光して静電潜像を形成する露光装置、感光体ドラム表面に形成された静電潜像を各色トナーにより現像する現像装置、感光体ドラム表面に形成されたトナー像を媒体に転写する転写装置、媒体に転写されたトナー像を加熱・加圧して定着する定着装置などを含む。
【００１８】
搬送路１３、１５は、駆動ローラ対を含む複数のローラ対やガイド（図示せず）から構成されており、さらに搬送路１５には、転写フィルムの搬送方向を１８０°反転させる反転路１６が設けられている。搬送路１５と反転路１６との分岐付近には、転写フィルムの案内方向を変更するゲート１７が設けられている。この反転路１６で転写フィルムを往復させ、再び搬送路１５に戻すと、転写フィルムの搬送方向が１８０°反転されると共に、転写フィルムの表裏が反転して搬送される。
【００１９】
（１．２）丁合い装置
丁合い装置２０は、カードトレイ２２と、丁合いトレイ（位置決め部）２５、カードトレイ２２から丁合いトレイ２５へ第２の媒体の一例としてのカード基材１を供給する搬送路２４と、画像形成装置１０の排出口１４から排出された転写フィルムを、丁合いトレイ２５へ供給する搬送路２１と、から構成されている。
【００２０】
カード基材１を丁合いトレイ２５へ供給する搬送路２４の排出部と、転写フィルムを丁合いトレイ２５へ供給する搬送路２１の排出部は、高さ方向に並列して設けられている。
搬送路２１としては、例えば、平滑な板状部材と、その表面を転写フィルムを搬送させるための搬送ローラが設けられた構成であってもよく、また回転するベルト状の搬送体で構成されていてもよい。そして転写フィルムが画像形成装置１０から排出されるタイミングで搬送ローラやベルトが回転し、転写フィルムを丁合いトレイ２５に搬送する。
【００２１】
カードトレイ２２には、通常の給紙装置に備えられているようなピックアップローラや給紙ローラが備えられており、丁合いトレイ２５がカードトレイ２２の排出口の位置に移動した直後のタイミングで給紙ローラ等が回転し、丁合いトレイ２５にカード基材１を搬送する。
【００２２】
丁合いトレイ２５は、搬送路２４の排出部と搬送路２１の排出部からカード基材１及び転写フィルムがそれぞれ供給されるように、それぞれの排出部の間で昇降する構成されている。また、積層されたカード基材１及び表面用転写フィルム３、裏面用転写フィルム５の端部を揃えて、位置決めする手段（不図示）が設けられている。
【００２３】
丁合いトレイ２５には、カード基材１を介して２つの転写フィルムを積層した積層体を仮止めする仮止め装置２６が設けられている。仮止め装置２６は、例えば、ヒータなどにより加熱されるよう金属からなる一対の突片で構成されており、この加熱された一対の突片により積層体の端部を挟むことで、積層体の端部が熱溶着されて仮止めされる。
なお、仮止め装置２６は、丁合いトレイ２５から画像転写装置３０への積層体の搬送路上に設けられる場合には、仮止め時のみ丁合いトレイ２５の端部に配置され、それ以外のときは搬送路から退避できる構造とされている。
【００２４】
（１．３）画像転写装置
図２（ａ）は本実施形態に係る画像転写装置３０の構成を示す縦断面図、図２（ｂ）は画像転写装置３０を構成する各ローラの断面模式図、図３は画像転写装置３０の制御部Ｃが備える各機能を示すブロック図である。以下、図面を参照しながら画像転写装置３０の構成と動作について説明する。
【００２５】
画像転写装置３０は、定着部と冷却部とから構成されている。定着部は一対のプレヒートローラ対３１、３１と、プレヒートローラ対３１、３１に対して媒体の搬送方向の下流側に配置された一対のヒートローラ対３２、３２からなる。
冷却部は、定着部に対して媒体の搬送方向の下流側に、複数（本実施形態においては４対）の冷却ローラ対３３、３３が配置されてなる。
また、プレヒートローラ対３１、３１とヒートローラ対３２、３２との間、ヒートローラ対３２、３２と冷却ローラ対３３、３３との間、及び各冷却ローラ対３３、３３の間には媒体の検出部材としてのシートセンサＳ１、Ｓ２、Ｓ３、Ｓ４，Ｓ５が配置されている。
【００２６】
プレヒートローラ対３１、３１、ヒートローラ対３２、３２及び冷却ローラ対３３、３３の各ローラは、金属製の芯金Ｂの外側表面に転写フィルムの表面硬度よりも低硬度の弾性層Ｒが形成されている。
具体的には、弾性層Ｒは、厚みが２〜３ｍｍ、硬度が１０°〜３０°（ＪＩＳ−Ａ）のシリコーンゴム等の耐熱性の弾性体で構成される。
【００２７】
画像転写装置３０の制御部Ｃは、駆動源の駆動制御部Ｄ１や、加熱部材の加熱制御部Ｄ２、加圧調整機構Ｐｒの駆動制御部Ｄ３、その他の図示しない制御要素に接続されている。
駆動源の駆動制御部Ｄ１は、転写モータＭ１を介してプレヒートローラ対３１、３１、ヒートローラ対３２、３２及び冷却ローラ対３３、３３の駆動と駆動速度を制御する。
加熱部材の加熱制御部Ｄ２は、それぞれのローラ表面に対向して設けられた温度センサの検知結果に基づいて、それぞれのローラに収容された加熱体としてのヒータＨ１、Ｈ２、Ｈ３への通電制御を行う。
加圧調整機構Ｐｒの駆動制御部Ｄ３は、各ローラ対の接触圧を調整するための加圧調整機構ＰｒをカムモータＭ２を介して駆動制御する。
【００２８】
プレヒートローラ対３１、３１、ヒートローラ対３２、３２及び冷却ローラ対３３、３３は、幅方向（Ｙ方向）に延びる上下一対の円筒状のロール対により構成され、プレヒートローラ３１、ヒートローラ３２、及び冷却ローラ対３３の内部には、それぞれ、加熱体として幅方向（Ｙ方向）に延びるヒータＨ１、Ｈ２、Ｈ３が収容されている。
そして、プレヒートローラ対３１、３１、ヒートローラ対３２、３２及び冷却ローラ対３３、３３には、各ローラ３１、３２、３３の表面温度を検出するための温度センサＳＮ１、ＳＮ２、ＳＮ３が配置されている。各ローラ対の表面温度設定の具体例については後述する。
【００２９】
プレヒートローラ対３１、３１、ヒートローラ対３２、３２及び冷却ローラ対３３、３３には、各ローラ対の接触圧を調整するための加圧調整機構Ｐｒが設けられ、例えば圧縮コイルバネＳの圧縮代を調整することにより接触圧を調整することができる。各ローラ対の接触圧の具体例については後述する。
【００３０】
冷却ローラ対３３、３３に対して、媒体の搬送方向の下流側には、媒体の収容部の一例としての排出トレイＴｒが支持され、最下流の冷却ローラ対３３、３３を通過した媒体が排出される。
【００３１】
（２）画像転写装置の機能
図４は、本実施形態に係る画像転写装置３０によりラミネートされる積層体の構成断面図、図５は、画像転写装置３０の定着部及び冷却部の機能を説明するための断面模式図である。
以下、本実施形態に係る画像転写装置３０における積層体のラミネート機能について図面を参照しながら説明する。
【００３２】
（２．１）積層体
図４に示すように、積層体は、カード基材１と画像２、４が形成された転写フィルムとして表面用転写フィルム３及び裏面用転写フィルム５とが、画像２、４が形成された側の面がカード基材１と各々と対向するように重ねられ、ラミネートされてなる。
【００３３】
カード基材１には、ＩＣチップが内蔵され、ＩＣチップは、無線通信が可能なＩＣタグにより構成されている。したがって、ＩＣチップを介して、非接触で情報の送受信が可能に構成されている。なお、本実施形態のＩＣチップには、カード基材１の構成材料等の
種類やカード基材１の大きさ等の媒体の情報が予め記憶されている。
【００３４】
カード基材１は、積層体としたときの転写フィルムに形成された画像が見えやすいよう不透明であることが好ましく、白色に着色されていることがより好ましい。
そのために、材料としてはアセテートフィルム、三酢酸セルローズフィルム、ナイロンフィルム、ポリエステルフィルム、ポリカーボネートフィルム、ポリスチレンフィルム、ポリフェニレンサルファイドフィルム、ポリプロピレンフィルム、ポリイミドフィルム、セロハンなどが挙げられる。中でもポリエステルフィルムが好ましく、特に、二軸延伸ポリエチレンテレフタレート（ＰＥＴ）フィルムが好ましく用いられている。
【００３５】
また、カード基材１は、カード基材１としての要求に必要な強度を有する程度に厚みを有する形状であって、厚さ５０〜５０００μｍの範囲、より好ましくは厚さ１００〜１０００μｍの範囲のＰＥＴフィルムが用いられる。
【００３６】
転写フィルム３、４は、膜状の基材層３ａ、５ａを有する。基材層３ａ、５ａの表面には、受像層３ｂ、５ｂが支持されている。なお、基材層３ａ、５ａは、例えば、厚さが５０〜５００μｍの範囲、より好ましくは７５〜１５０μｍの範囲のＰＥＴフィルムにより構成可能である。
基材層３ａ、５ａは、透明性を有することが必要であり、少なくとも形成された画像２、４が、画像２、４が形成された面と反対側の面から基材層３ａ、５ａを通して目視できる程度に透明であればよい。
【００３７】
（２．２）画像転写装置のラミネート
カード基材１の一面目の画像２が印刷された表面用転写フィルム３は、反転路１６に搬送された後、搬送方向が前後逆転されて、受像層３ｂが上面となる状態で丁合いトレイ２５に収容される。
次に、カードトレイ２２からカード基材１が送り出され、カード基材１は、表面用転写フィルム３の上方に重ねて積載される。
次に、二面目の画像４が印刷された裏面用転写フィルム５が反転路１６を通過せずに丁合いトレイ２５に搬送される。したがって、二面目の画像４が印刷された裏面用転写フィルム５は、受像層５ｂが下方に向き、かつ受像層５ｂがカード基材１の上面に対面した状態で、丁合いトレイ２５に積載される。
【００３８】
カード基材１と転写フィルム３、５が積載されると、仮止め装置２６が作動してカード基材１と転写フィルム３、５とが２箇所で熱融着され、カード基材１と転写フィルム３、５とが仮止めされた一体的な積層体となる。
【００３９】
そして、積層体は、下流側の画像転写装置３０の定着部に搬送され、プレヒートローラ対３１、３１でヒートローラ対３２、３２よりも低温で仮ラミネートされる。具体的には、プレヒートローラ対３１、３１の表面温度は９０°Ｃ〜１１０°Ｃ、荷重は１００Ｎ〜２００Ｎに設定されている。
このような仮ラミネート工程を経ることにより、カード基材１と転写フィルム３、５に熱膨張係数の差があった場合であっても、熱による両者の伸びの相違を緩和し、位置ずれのないプラスチックシートを得ることができる。
【００４０】
プレヒートローラ対３１、３１を通過した積層体は、ヒートローラ対３２、３２のニップ部へと搬送され、加熱・加圧される。ヒートローラ対３２、３２は、転写フィルム３、５の受像層３ｂ、５ｂが基材層３ａ、５ａからカード基材１の面に転写される温度と圧力で積層体を加熱・加圧する。具体的には、ヒートローラ対３２、３２の表面温度は１２０°Ｃ〜１３０°Ｃ、荷重は１０００Ｎ〜２０００Ｎに設定されている。
【００４１】
ヒートローラ対３２、３２で加熱・加圧された積層体は、冷却部で冷却される。冷却部が設けられない場合、転写フィルム３、５とカード基材１との熱膨張率の差に伴って積層体に反りが発生する虞がある。そのために、冷却部において、積層体の温度をヒートローラ対３２、３２の通過後にガラス転移温度（Ｔｇ）以上からＴｇ以下へと冷却させる。
【００４２】
冷却部は、本実施形態においては、積層体の搬送方向に沿って４対の冷却ローラ対３３、３３が直列に配置されて構成されている。４対の冷却ローラ対３３、３３は、それぞれヒートローラ対３２、３２よりもその表面温度が低温でかつ低荷重に設定されている。
一例として、それぞれの表面温度は、積層体の搬送方向に沿って上流側の冷却ローラ対３３、３３から順に、第１冷却ローラ対３３ａ、３３ａは７０〜８０°Ｃ、第２冷却ローラ対３３ｂ、３３ｂは６５〜７５°Ｃ、第３冷却ローラ対３３ｃ、３３ｃは６５〜７０°Ｃ、第４冷却ローラ対３３ｄ、３３ｄは５０〜６０°Ｃ、の範囲に設定されている。
尚、それぞれの冷却ローラ対３３、３３の荷重は１００Ｎ〜２００Ｎに設定されている。
【００４３】
冷却ローラ対３３、３３で冷却された積層体は排出トレイＴｒに排出され、積層体が得られる。ここで、積層体に個別の画像が複数形成されている場合、その各画像毎に裁断し、所定のサイズの積層体が得られる。
また、例えば数枚分のカードのパターンとなっている場合は、１枚分ずつに裁断され表裏が転写フィルムでラミネートされたカード等となる。
【００４４】
（３）画像転写装置の作用・効果
（３．１）圧接作用
上述した積層体のラミネート工程においては、定着部で積層体をＴｇ以上の温度で加圧・加熱するために、積層体の表面の異物が付着した場合には、その異物の形状がカード基材１に転写されて凹みを発生させてしまう虞がある。
図９には、比較例として金属ローラに一対のステンレスベルトを架け渡したベルトニップ方式の画像転写装置２００を示す。
【００４５】
「比較例」
比較例の画像転写装置２００は、一対のベルト２１０、２１０が、一対のテンションローラ２２０、２２０と、一対のインレットローラ２３０、２３０とによりそれぞれ張架された状態で、テンションバネ２４０によりベルト２１０、２１０が歪みを生じないように構成されている。
そして、一対のベルト２１０、２１０内部には、テンションローラ２２０、２２０とインレットローラ２３０、２３０との間に一対の加熱加圧ローラ２５０、２５０及び冷却ローラ２６０、２６０がそれぞれベルト２１０、２１０を介して圧接して配置されている。
【００４６】
積層体は、一対のインレットローラ２３０、２３０の後方に配置された加熱加圧ローラ２５０、２５０により加熱・加圧され熱融着される。
一方、金属ローラである一対のテンションローラ２２０、２２０と、一対のインレットローラ２３０、２３０に架け渡された一対のベルト２１０、２１０がステンレスベルトであるために、その表面が硬くベルト表面に付着した異物が圧接されて、その異物の形状がカード基材１に転写されて凹みを発生させてしまう虞があった。
【００４７】
「本実施形態」
本実施形態に係る画像転写装置３０においては、プレヒートローラ対３１、３１、ヒートローラ対３２、３２及び冷却ローラ対３３、３３のそれぞれのローラ表面には転写フィルムの表面硬度よりも低硬度の弾性層が形成されている。
すなわち、ニップ部において異物が介在しても、異物の凹凸に倣って各ローラ表面が変形することができるように、厚みが２〜３ｍｍ、硬度が１０°〜３０°（ＪＩＳ−Ａ）のシリコーンゴムからなる弾性層が形成されている（図２（ｂ）参照）。
そのために、ラミネート工程において、表面に異物が付着した状態で積層体がＴｇ以上の温度で加圧・加熱されても、その異物の形状がカード基材１に転写されて発生する凹みを抑制することができる。
【００４８】
（３．２）冷却制御
ヒートローラ対３２、３２で加熱・加圧された積層体は、積層体の搬送方向に沿って直列に配置された４対の冷却ローラ対３３、３３を通過する際に、ガラス転移温度（Ｔｇ）以上からＴｇ以下へと冷却される。
図６に、本実施形態に係る画像転写装置３０における冷却ローラ対３３、３３の温度制御例を示す。
【００４９】
図６に示すように、加熱制御部Ｄ２は、冷却ローラ対３３、３３の温度を制御する。加熱制御部Ｄ２は、温度センサＳＮ３ａ、ＳＮ３ｂ、ＳＮ３ｃ、ＳＮ３ｄの検知結果に基づき、積層体がＴｇ以上からＴｇ以下へ冷却される際に、平面性を保つことができる冷却プロファイルで冷却されるように、各冷却ローラが予め設定された温度Ｔ１、Ｔ２、Ｔ３、Ｔ４となるように、各冷却ローラ３３の内部に備えられたそれぞれのヒータＨ３のオン、オフを制御する。
その結果、ヒートローラ対３２、３２で加熱・加圧された積層体は、平面性を維持したまま各冷却ローラ３３対を通過しながら、順次Ｔｇ以下へと冷却され、排出トレイＴｒに排出されることとなる。
尚、カード基材１の種類毎に最適な各冷却ローラ対３３、３３の設定温度は、予め実験等で決定され、画像転写装置３０の制御部Ｃを構成するＲＯＭに、カード基材１の種類毎に対応づけたテーブル値として格納されている。
【００５０】
（３．３）圧力制御
圧力の調整機構の駆動制御部Ｄ３は、加圧調整機構Ｐｒを介して冷却ローラ対３３、３３の接触圧を調整する。
図７（ａ）に、ヒートローラ対３２、３２で加熱・加圧された積層体が第１冷却ローラ対３３ａ、３３ａのニップ部へ突入するときの積層体の姿勢を模式的に示す。図７（ｂ）は、ヒートローラ対３２、３２で加熱・加圧された積層体の後端がヒートローラ対３２、３２のニップ部を抜けるときの積層体の姿勢を模式的に示す。
【００５１】
ヒートローラ対３２、３２で加熱・加圧された積層体が第１冷却ローラ対３３ａ、３３ａのニップ部へ突入するときに、積層体はＴｇ以上の温度となっている。その結果、軟化した積層体には、ヒートローラ対３２、３２と第１冷却ローラ対３３、３３との間でループが形成され、第１冷却ローラ対３３ａ、３３ａの表面に接触して転写フィルム表面にダメージが発生する虞がある（図７（ａ）参照）。
また、ヒートローラ対３２、３２で加熱・加圧された積層体の後端がヒートローラ対３２、３２のニップ部を抜ける瞬間に積層体が圧延状態から解放され、搬送速度が一時的に上昇する。そして、先行する積層体は第１冷却ローラ対３３ａ、３３ａ及びその下流側の冷却ローラ対にニップされた状態で搬送されている。その結果、軟化した積層体には、ヒートローラ対３２、３２と第１冷却ローラ対３３ａ、３３ａとの間でループが形成され、第１冷却ローラ対３３ａ、３３ａの表面に接触して転写フィルム表面にダメージが発生する虞がある（図７（ｂ）参照）。
【００５２】
図８は、画像転写装置３０の冷却部における冷却ローラ対の圧力制御の一例を説明するための図である。
加圧調整機構Ｐｒの駆動制御部Ｄ３は、各冷却ローラ対３３、３３の接触圧を調整するための加圧調整機構ＰｒをカムモータＭ２を介して駆動制御する。具体的には、積層体の先端部が第１冷却ローラ対３３ａ、３３ａのニップ部へ突入するタイミングで、第１冷却ローラ対３３ａ、３３ａの接触圧を低くする。そして、第２冷却ローラ対３３ｂ、３３ｂ及びその下流側の冷却ローラ対の接触圧は、第１冷却ローラ対３３ａ、３３ａよりも高く設定される（図８（ａ））。
その後、予め定められた時間の経過後、第１冷却ローラ対３３ａ、３３ａの接触圧は、第２冷却ローラ対３３ｂ、３３ｂ及びその下流側の冷却ローラ対の接触圧と同じになるように増加される（図８（ｂ））。
【００５３】
一例として、第１冷却ローラ対３３ａ、３３ａの接触圧は３Ｎ〜５Ｎ、第２冷却ローラ対３３ｂ、３３ｂ及びその下流側の冷却ローラ対の接触圧は、１０Ｎ〜２０Ｎに設定することで、ヒートローラ対３２、３２と第１冷却ローラ対３３ａ、３３ａとの間で積層体に形成されやすいループ量を減少させ転写フィルム表面のダメージを抑制することができる。
そして、積層体の後端がヒートローラ対３２、３２のニップ部を抜けるタイミングで、再度、第１冷却ローラ対３３ａ、３３ａの接触圧を低くする（図８（ｃ））。
その後、積層体の後端がヒートローラ対３２、３２のニップ部を抜けた後は、第１冷却ローラ対３３ａ、３３ａの接触圧は、第２冷却ローラ対３３ｂ、３３ｂと同じ接触圧に変更され、積層体は平面性を維持したまま各冷却ローラを通過する（図８（ｄ））。
尚、カード基材１の種類毎に最適な各冷却ローラ対３３、３３の接触圧は、予め実験等で測定され、画像転写装置３０の制御部Ｃを構成するＲＯＭに、カード基材１の種類毎に対応づけたテーブル値として格納されている。
又、積層体の先端部及び後端は、シートセンサＳ１〜Ｓ５によって検出され、加圧調整機構Ｐｒの駆動制御部Ｄ３へ取り込まれる。
【００５４】
（３．４）速度制御
駆動源の駆動制御部Ｄ１は、転写モータＭ１を介して、ヒートローラ対３２、３２及び冷却ローラ対３３、３３の駆動速度を制御する。具体的には、積層体が第１冷却ローラ対３３ａ、３３ａのニップ部へ突入するタイミングで、第１冷却ローラ対３３ａ、３３ａの搬送速度をヒートローラ対３２、３２対比で速くする。その結果、積層体が第１冷却ローラ対３３ａ、３３ａのニップ部へ突入するときに、ヒートローラ対３２、３２と第１冷却ローラ対３３、３３との間で形成されるループを減少させ転写フィルム表面のダメージを抑制することができる。
【符号の説明】
【００５５】
１・・・カード基材
２、４・・・画像
３、５・・・転写フィルム
３ａ、５ａ・・・基材層
３ｂ、５ｂ・・・受像層
１０・・・画像形成装置
１１・・・フィルムトレイ
１２・・・画像形成部
１３、１５・・・搬送路
１４・・・排出口
１６・・・反転路
１７・・・ゲート
２０・・・丁合い装置
２１、２４・・・カードトレイ
２２・・・カードトレイ
２３・・・案内部材
２５・・・丁合いトレイ
２６・・・仮止め装置
３０、２００・・・画像転写装置
３１・・・プレヒートローラ
３２・・・ヒートローラ
３３・・・冷却ローラ
Ｈ１、Ｈ２、Ｈ３・・・ヒータ
Ｓ１、Ｓ２、Ｓ３、Ｓ４、Ｓ５・・・シートセンサ
ＳＮ１、ＳＮ２、ＳＮ３・・・温度センサ
１００・・・積層体作成装置
【図１】
2014174197.tif 000003
【図２】
2014174197.tif 000004
【図３】
2014174197.tif 000005
【図４】
2014174197.tif 000006
【図５】
2014174197.tif 000007
【図６】
2014174197.tif 000008
【図７】
2014174197.tif 000009
【図８】
2014174197.tif 000010
【図９】
2014174197.tif 000011